(57)【特許請求の範囲】
【請求項１】
物体側から順に、負の屈折力の前群と、正の屈折力の後群より構成され、前群と後群の間隔を変化させて変倍させるズームレンズにおいて、
前群は、物体側から順に、正の屈折力のＦａ群と負の屈折力のＦｂ群より構成され、変倍時にＦａ群とＦｂ群の間隔が変化するようにＦａ群とＦｂ群が移動し、
後群は、物体側から順に、正の屈折力のＲａ群と正の屈折力のＲｂ群より構成され、変倍時にＲａ群とＲｂ群の間隔が変化するようにＲａ群とＲｂ群が移動し、
広角端から望遠端に変倍させるときレンズ全系の像面に対してＦａ群とＲｂ群は移動方向が反転し、
広角端でのレンズ全系の焦点距離をｆｗ、前記Ｆｂ群の焦点距離をｆＦｂ、広角端でのＲａ群とＲｂ群の光軸上間隔をＣｗ、望遠端でのＲａ群とＲｂ群の光軸上間隔をＣｔ、レンズ全系の焦点距離が広角端の焦点距離ｆｗと望遠端の焦点距離ｆｔの相乗平均ｆｍ＝（ｆｗ×ｆｔ）１/２になるときのＲａ群とＲｂ群の光軸上間隔をＣｍとするとき、
０．３５＜ｆｗ／｜ｆＦｂ｜≦０．５１
Ｃｗ＜Ｃｍ＜Ｃｔ
なる条件を満足することを特徴とするズームレンズ。
【請求項２】
前記Ｆａ群は１つの正レンズより成り、前記Ｒａ群は正レンズと負レンズを有することを特徴とする請求項１のズームレンズ。
【請求項３】
前記Ｒａ群の物体側に変倍に伴ってＲａ群と一体的に移動する絞りを有すると共に、前記Ｒｂ群は正の屈折力の接合レンズ又は正レンズより成ることを特徴とする請求項１または２のズームレンズ。
【請求項４】
広角端から望遠端に変倍させるとき、レンズ全系の像面に対して前記Ｒｂ群は物体側への移動から像面側への移動に反転することを特徴とする請求項１，２又は３のズームレンズ。
【請求項５】
広角端から望遠端に変倍させるとき、レンズ全系の像面に対して前記Ｆａ群は像面側への移動から物体側への移動に反転することを特徴とする請求項１から４のいずれか１項のズームレンズ。
【請求項６】
広角端でのレンズ全系の焦点距離をｆｗ、前記Ｆａ群の焦点距離をｆＦａとするとき、
０．００＜ｆｗ／ｆＦａ＜０．２０
なる条件を満足することを特徴とする請求項１から５のいずれか１項のズームレンズ。
【請求項７】
広角端での前記Ｆｂ群と前記Ｒａ群の光軸上間隔をＢｗ、望遠端での前記Ｆｂ群と前記Ｒａ群の光軸上間隔をＢｔ、レンズ全系の焦点距離が広角端の焦点距離ｆｗと望遠端での焦点距離ｆｔの相乗平均ｆｍ＝（ｆｗ×ｆｔ）１/２になる変倍位置での前記Ｆｂ群と前記Ｒａ群の光軸上間隔をＢｍとするとき、
０．５０＜（Ｂｗ−Ｂｍ）／（Ｂｗ−Ｂｔ）＜０．７５
なる条件を満足することを特徴とする請求項１から６いずれか１項のズームレンズ。
【請求項８】
請求項１から請求項７のいずれか１項のズームレンズと、該ズームレンズによって物体像が形成される撮像素子とを有することを特徴とする撮影装置。
【発明の詳細な説明】
【技術分野】
【０００１】
本発明は、ズームレンズ及びそれを用いた撮影装置に関し、特にズームレンズは負の屈折力のレンズ群が先行する全体として２つのレンズ群を有する。そしてこれら２つのレンズ群のレンズ構成を適切に設定することにより、全変倍範囲にわたり高い光学性能を有した写真用カメラ、ビデオカメラ、デジタルカメラ、そしてＳＶカメラ等の撮影装置に好適なものである。
【背景技術】
【０００２】
従来より負の屈折力のレンズ群が先行する所謂ネガティブリード型のズームレンズは、広画角化が比較的容易である為、多くのカメラの標準型のズームレンズとして用いられている。この種の標準型ズームレンズとして、負の屈折力を有する第１群と正の屈折力を有する第２群の２つのレンズ群で構成している。これら２つのレンズ群を光軸に沿って移動し、レンズ群間隔を変化させることにより変倍を行う、所謂２群ズームレンズが知られている（特許文献１〜３）。又、物体側より順に負の屈折力の第１群、正の屈折力の第２群、そして正の屈折力の第３群の３つのレンズ群を有し、広角端から望遠端への変倍を第２群と第３群の間隔を増大させて行ったズームレンズが知られている（特許文献４）。又、物体側より順に負の屈折力の第１群、正の屈折力の第２群、そして正の屈折力の第３群の３つのレンズ群を有し、広角端から望遠端への変倍を第２群と第３群の間隔を減少させて行ったズームレンズが知られている（特許文献５）。また３群構成以上の多群ズームレンズが知られている（特許文献６）。
【先行技術文献】
【特許文献】
【０００３】
【特許文献１】特開昭５３−１３２３６０号公報
【特許文献２】特開昭５６−１９０２２号公報
【特許文献３】米国特許第５２８３６３９号
【特許文献４】特開平７−５２２５６号公報
【特許文献５】米国特許第５４３７１０号
【特許文献６】持開平６−２７３７７号公報
【発明の概要】
【発明が解決しようとする課題】
【０００４】
一般に負の屈折力の第１群と正の屈折力の第２群の２つのレンズ群より成るネガティブリード型の２群ズームレンズは広画角化が比較的容易であり、また所定のバックフォーカスが容易に得られるという特長がある。しかしながら、全変倍範囲にわたり、又画面全体にわたり良好なる光学性能を得るには、各レンズ群の屈折力配置やレンズ形状等を適切に設定する必要がある。各レンズ群の屈折力配置やレンズ構成が不適切であると変倍に伴う収差変動が大きくなり、全変倍範囲にわたり高い光学性能を得るのが難しくなってくる。又、負の屈折力のレンズ群が先行する２群ズームレンズにおいては、各群の光軸上の位置は変倍と像面位置の変動補正のために相対位置が一義的に決定されてしまう。この結果、広角端から望遠端に変倍させる途中の変倍位置での光学性能を任意に制御することができない。従って変倍途中の位置での光学性能を良くするには変倍中の各群での収差変動を極力少なくする必要がある。そのための方法としては、例えば各群の屈折力をゆるくしたり、あるいは各群をより多くのレンズ枚数で構成するなどの方法がとられている。しかしながら、この方法はレンズ全長が大型になり高変倍化、高性能化が困難になってくるという問題があった。
【０００５】
本発明は、負の屈折力のレンズ群が先行するネガティブリード型の２つのレンズ群より成るズームレンズである。そして、各レンズ群のレンズ構成を適切に設定することにより、変倍範囲中の任意のズーム位置においても良好なる光学性能が得られ、全変倍範囲及び画角全体にわたり高い光学性能が容易に得られるズームレンズ及びそれを用いた撮影装置の提供を目的とする。
【課題を解決するための手段】
【０００６】
請求項１の発明のズームレンズは、物体側から順に、負の屈折力の前群と、正の屈折力の後群より構成され、前群と後群の間隔を変化させて変倍させるズームレンズにおいて、
前群は、物体側から順に、正の屈折力のＦａ群と負の屈折力のＦｂ群より構成され、変倍時にＦａ群とＦｂ群の間隔が変化するようにＦａ群とＦｂ群が移動し、
後群は、物体側から順に、正の屈折力のＲａ群と正の屈折力のＲｂ群より構成され、変倍時にＲａ群とＲｂ群の間隔が変化するようにＲａ群とＲｂ群が移動し、
広角端から望遠端に変倍させるときレンズ全系の像面に対してＦａ群とＲｂ群は移動方向が反転し、
広角端でのレンズ全系の焦点距離をｆｗ、前記Ｆｂ群の焦点距離をｆＦｂ、広角端でのＲａ群とＲｂ群の光軸上間隔をＣｗ、望遠端でのＲａ群とＲｂ群の光軸上間隔をＣｔ、レンズ全系の焦点距離が広角端の焦点距離ｆｗと望遠端の焦点距離ｆｔの相乗平均ｆｍ＝（ｆｗ×ｆｔ）１／２になるときのＲａ群とＲｂ群の光軸上間隔をＣｍとするとき、
０．３５＜ｆｗ／｜ｆＦｂ｜≦０．５１
Ｃｗ＜Ｃｍ＜Ｃｔ
なる条件を満足することを特徴としている。
【０００７】
請求項２の発明は、請求項１の発明において、前記Ｆａ群は１つの正レンズより成り、前記Ｒａ群は正レンズと負レンズを有することを特徴としている。
【０００８】
請求項３の発明は、請求項１又は２の発明において、前記Ｒａ群の物体側に変倍に伴ってＲａ群と一体的に移動する絞りを有すると共に、前記Ｒｂ群は正の屈折力の接合レンズ又は正レンズより成ることを特徴としている。
【０００９】
請求項４の発明は、請求項1、2又は３の発明において、広角端から望遠端に変倍させるとき、レンズ全系の像面に対して前記Ｒｂ群は物体側への移動から像面側への移動に反転することを特徴としている。
【００１０】
請求項５の発明は、請求項１から４のいずれか１項の発明において、広角端から望遠端に変倍させるとき、レンズ全系の像面に対して前記Ｆａ群は像面側への移動から物体側への移動に反転することを特徴としている。
【００１１】
請求項６の発明は、請求項１から５のいずれか１項の発明において、広角端でのレンズ全系の焦点距離をｆｗ、前記Ｆａ群の焦点距離をｆＦａとするとき、
０．００＜ｆｗ／ｆＦａ＜０．２０
なる条件を満足することを特徴としている。
【００１２】
請求項７の発明は、請求項１から６のいずれか１項の発明において、広角端での前記Ｆｂ群と前記Ｒａ群の光軸上間隔をＢｗ、望遠端での前記Ｆｂ群と前記Ｒａ群の光軸上間隔をＢｔ、レンズ全系の焦点距離が広角端の焦点距離ｆｗと望遠端での焦点距離ｆｔの相乗平均ｆｍ＝（ｆｗ×ｆｔ）１／２になる変倍位置での前記Ｆｂ群と前記Ｒａ群の光軸上間隔をＢｍとするとき、
０．５０＜（Ｂｗ−Ｂｍ）／（Ｂｗ−Ｂｔ）＜０．７５
なる条件を満足することを特徴としている。
【００１３】
請求項８の発明の撮影装置は、請求項１から請求項７のいずれか１項のズームレンズと、該ズームレンズによって物体像が形成される撮像素子とを有することを特徴としている。
【発明の効果】
【００１４】
本発明によれば、変倍範囲中の任意のズーム位置においても良好なる光学性能が得られ、全変倍範囲及び画角全体にわたり高い光学性能が容易に得られるズームレンズ及びそれを用いた撮影装置を達成することができる。
【図面の簡単な説明】
【００１５】
【図１】本発明のズームレンズの数値実施例１のレンズ断面図
【図２】本発明のズームレンズの数値実施例１の収差図
【図３】本発明のズームレンズの数値実施例２のレンズ断面図
【図４】本発明のズームレンズの数値実施例２の収差図
【図５】本発明のズームレンズの数値実施例３のレンズ断面図
【図６】本発明のズームレンズの数値実施例３の収差図
【図７】本発明の撮影装置の要部概略図
【発明を実施するための形態】
【００１６】
図１，図２は本発明のズームレンズの数値実施例１のレンズ断面図と収差図である。図３，図４は本発明のズームレンズの数値実施例２のレンズ断面図と収差図である。図５，図６は本発明のズームレンズの数値実施例３のレンズ断面図と収差図である。本発明の撮影装置は、図１，図３，図５に示すズームレンズを用いて撮像手段上に物体像を形成している。レンズ断面図において（Ａ）は広角端（ｆｗ）、（Ｂ）は広角端と中間（ミドル）との間のズーム位置（ｆWM ）、（Ｃ）は中間のズーム位置（ｆM ）、（Ｄ）は中間から望遠端との間のズーム位置（ｆTM ）、（Ｅ）は望遠端（ｆT ）である。収差図において、（Ａ）は広角端（ｆｗ）、（Ｂ）は中間のズーム位置（ｆM）、（Ｃ）は望遠端（ｆT ）である。レンズ断面図において、ＦＬは負の屈折力の前群であり、正の屈折力のＦａ群と負の屈折力のＦｂ群とを有している。ＲＬは正の屈折力の後群であり、正の屈折力のＲａ群と正の屈折力のＲｂ群とを有している。ＳＰは絞り、ＩＰは像面である。Ｇはフィルター、フェースプレート等のガラスブロックである。ＦＳ１，ＦＳ２は各々フレアーカット絞りであり、フレアーカット絞りＦＳ１はＲａ群の物体側、フレアーカット絞りＦＳ２はＲａ群の像面側に設けており、各々変倍に伴いＲａ群と一体的に移動している。
【００１７】
本発明のズームレンズは広角端から望遠端への変倍に際して（変倍時に）、Ｆａ群，Ｆｂ群，Ｒａ群，Ｒｂ群を光軸上移動させている。尚、本発明のズームレンズは２群構成として取り扱っているが、変倍に際して４つのレンズ群を独立に移動させている為に４群ズームレンズとして取り扱うようにしても良い。本発明のズームレンズでは、レンズ全系を少なくとも４群の構成とし、各群を移動させて変倍を行なっている。特に後群のＲｂ群の変倍中の移動軌跡を反転させることにより、各群の屈折力を弱くしてレンズ全系を大型にすることなく変倍途中の光学性能を向上させている。またＲｂ群の変倍中の移動軌跡を反転させることにより各群を簡易なレンズ構成にて変倍途中での光学性能変動をおさえつつ、レンズ全系の小型化を可能にしている。
【００１８】
特にＲｂ群の移動軌跡を、レンズ全系を広角端から望遠端に変倍させるときレンズ全系の像面ＩＰに対して物体側への移動から像両側への移動に反転させることにより移動軌跡反転後のＲｂ群に増倍作用を持たせている。これにより、Ｆｂ群とＲａ群での変倍作用を低減して、各群の移動量を減少させてレンズ全系の小型化を可能にしている。特に望遠端付近でＦｂ群とＲａ群の変倍のための間隔変化を少なくして、ズーム停止位置の誤差によるＦｂ群とＲａ群の間隔変化が小さくなるようにしている。これによってＦｂ群とＲａ群の間隔余裕を減じることを可能として、レンズ系全体の小型化を図っている。また、前群ＦＬ中のＦａ群の移動軌跡も反転させることにより、より変倍途中での光学性能の変動をおさえている。特にＦａ群を広角端から望遠端に変倍させるときレンズ全系の像面ＩＰに対してＦａ群は移動方向が像面側への移動から物体側への移動に反転させることにより変倍途中でのレンズ全系の小型化および光学性能の向上を可能にしている。
【００１９】
特に広角端付近でＦａ群とＦｂ群の変倍のための間隔変化を少なくして、ズーム停止位置の誤差によるＦａ群とＦｂ群の間隔変化が小さくなるようにしている。これによってＦａ群とＦｂ群の間隔余裕を減じることを可能としてレンズ系全体の小型化を図っている。また、本実施形態では変倍途中での光学性能の向上を可能とし、Ｆａ群を正レンズ１枚のみで構成して良好なる収差補正を可能としている。又、Ｆａ群を１枚のみの構成にすることでレンズ全系の小型化を図っている。また、後群ＲＬはレンズ全系の結像作用を担うレンズ群である。後群中のＲａ群を正レンズと負レンズを有する構成とすることにより色収差を良好に補正するとともに、Ｒａ群に少なくとも１面の非球面を用いることによりレンズ構成を簡易にし、小型化を可能にしている。また、変倍途中での光学性能の向上を可能とし、Ｒｂ群を正レンズ１枚のみで構成して良好なる収差補正を可能としている。又Ｒｂ群を１枚のみの構成にすることでレンズ全系の小型化を図っている。またＲｂ群は正レンズと負レンズの２枚で構成しても良く、これによればさらに良好な収差補正が容易になる。またＲｂ群に非球面を用いても良く、これによれば簡易な構成で収差補正が容易になる。また、絞りをＲａ群と一体に移動させても良く、これによれば、よりレンズ鏡筒構造を簡易にすることが容易となる。
【００２０】
次に数値実施例１〜３のズームレンズを備えた撮影装置の実施例について、図７（Ａ），（Ｂ）を用いて説明する。図７（Ａ）は撮影装置の正面図、図７（Ｂ）は側部断面図である。図中、１０は撮影装置本体（筐体）、１１は数値実施例１〜３のいずれかのズームレンズを用いた撮影光学系、１２はファインダー光学系、１３はＣＣＤ等の撮像素子である。このように数値実施例１〜３のズームレンズを撮影装置の撮影光学系に適用することで、コンパクトな撮影装置を実現している。本発明の目的とするズームレンズは以上の如く設定することにより達成されるが、更に光学性能を良好に維持しつつ、レンズ系全体の小型化を図るには次の諸条件のうちの少なくとも１つを満足させるのが良い。
【００２１】
（ア−１）広角端でのレンズ全系の焦点距離をｆｗ、Ｆａ群の焦点距離をｆＦａとしたとき
０．００＜ｆｗ／ｆＦａ＜０．２０ ‥‥‥（１）
を満足することである。条件式（１）は、Ｆａ群の焦点距離に関するものであり、上限を超えるとＦａ群のパワーがきつくなりすぎて前玉径が大きくなる。又下限を越えるとＦａ群のパワーがゆるくなりＦｂ群の変倍作用がゆるくなりレンズ全長が長くなるので良くない。さらに望ましくは、条件式（１）の上限と下限を以下のようにするとなお良い。
【００２２】
０．０３＜ｆｗ／ｆＦａ＜０．１５ ‥‥‥（１ａ）
（ア−２）広角端でのレンズ全系の焦点距離をｆｗ、Ｆｂ群の焦点距離をｆＦｂとしたとき
０．３５＜ｆｗ／｜ｆＦｂ｜≦０．５１ ‥‥‥（２）
を満足することである。条件式（２）は、Ｆｂ群の焦点距離に関するものであり、上限を超えるとＦｂ群のパワーがきつくなり変倍中の収差変動が大きくなり高変倍化が困難になる。又下限を越えるとＦｂ群のパワーがゆるくなりレンズ全長が長くなり小型化が困難になる。
【００２３】
（ア−３）Ｒａ群の焦点距離をｆＲａ、Ｒｂ群の焦点距離をｆＲｂとしたとき
０．７＜ｆ    Ｒａ／ｆＲｂ＜１．５ ‥‥‥（３）
を満足することである。条件式（３）は、Ｒａ群とＲｂ群の焦点距離比に関するものであり、下限を越えるとＲｂ群のパワーがゆるくなり変倍中の収差変動が大きくなり高変倍化が困難になる。又、上限を越えるとＲａ群のパワーがゆるくなりレンズ全長が長くなり小型化が困難になる。さらに望ましくは、条件（３）の上限と下限を以下のようにするとなおよい。
【００２４】
０．８＜ｆＲａ／ｆＲｂ＜１．２ ‥‥‥（３ａ）
（ア−４）広角端でのＦｂ群とＲａ群の光軸上間隔をＢｗ、望遠端でのＦｂ群とＲａ群の光軸上間隔をＢｔとする。レンズ全系の焦点距離が、広角端の焦点距離ｆｗと望遠端での焦点距離ｆｔの相乗平均ｆｍ＝（ｆｗ×ｆｔ）１/２になる変倍位置でのＦｂ群とＲａ群の光軸上間隔をＢｍとする。このとき、
０．５０＜（Ｂｗ−Ｂｍ）／（Ｂｗ−Ｂｔ）＜０．７５ ‥‥（４）
を満足することである。条件式（４）は変倍でのＦｂ群とＲａ群の光軸上間隔に関するものであり、上限を越えると広角端から中間までの広角側の変倍領域でのＦｂ群とＲａ群の間隔変化が大きくなり全体の高変倍化が困難になる。下限を越えると変倍中間で良好な収差補正が困難になる。さらに望ましくは、条件式（４）の上限と下限を以下のようにするとなおよい。
【００２５】
０．６０＜（Ｂｗ−Ｂｍ）／（Ｂｗ−Ｂｔ）＜０．７０ ‥‥（４ａ）
（ア−５）広角端でのＲａ群とＲｂ群の光軸上間隔をＣｗ、望遠端でのＲａ群とＲｂ群の光軸上間隔をＣｔとする。レンズ全系の焦点距離が、広角端の焦点距離ｆｗと望遠端での焦点距離ｆｔの相乗平均ｆｍ＝（ｆｗ×ｆｔ）1/2になる変倍位置でのＲａ群とＲｂ群の光軸上間隔をＣｍとする。このとき、
Ｃｗ＜Ｃｍ＜Ｃｔ ‥‥‥（５）
を満足することである。条件式（５）は変倍でのＲａ群とＲｂ群の光軸上間隔に関するものであり、Ｃｍが上限を越えるとＲａ群で発生する諸収差、特に軸上色収差をＲｂ群で補正することが困難になり、Ｒａ群とＲｂ群をともに簡易な構成にて良好な収差補正をおこなうことが困難になる。Ｃｍが下限を越えて小さくなると広角端でＲａ群とＲｂ群の間隔が大きくなり十分なバックフォーカスを確保することが困難になる。さらに望ましくは、条件式（５）の上限と下限を以下のようにするとなお良い。
【００２６】
１．１×Ｃｗ＜Ｃｍ＜０．９×Ｃｔ‥‥‥（５ａ）
（ア−６）Ｆａ群を物体側に凸面を向けた正レンズより構成することである。
【００２７】
（ア−７）Ｆｂ群を物体側に凸面を向けたメニスカス状の負レンズと、負レンズそして物体側に凸面を向けたメニスカス状の正レンズより構成することである。
【００２８】
（ア−８）Ｒａ群を正レンズ、正レンズと負レンズとの接合レンズより構成することである。
【００２９】
次に本発明の数値実施例を示す。数値実施例においてＲｉは物体側より順に第ｉ番目の面の曲率半径、Ｄｉは物体側より順に第ｉ番目の光学部材厚又は空気間隔、Ｎｉとνｉは各々物体側より順に第ｉ番目の光学部材の材質の屈折率とアッベ数である。又、非球面形状は、レンズ面の中心部の曲率半径Ｒとし、光軸方向（光の進行方向）をＸ軸とし、光軸と垂直方向をＹ軸、Ａ，Ｂ，Ｃ，Ｄ，Ｅを各々非球面係数としたとき
【００３０】
【数１】
0004574728.tif 000002
【００３１】
なる式で表している。又「ｅ−Ｘ」は「×１０-X」を意味している。又、前述の各条件式と数値実施例における諸数値との関係を表１に示す。
【００３２】
数値実施例1
f=7.13〜20.74     FNo=1:2.06〜2.70      2ω=65.1°〜24.7°
R 1=  35.215     D 1=3.70     N 1=1.51633      ν 1=64.1
R 2=   ∞      D 2=可変
R 3=  43.552     D 3=1.10     N 2=1.74950      ν 2=35.3
R 4=  11.329     D 4=4.47
R 5= -93.546     D 5=1.00     N 3=1.69350      ν 3=53.2
R 6=  13.702     D 6=1.61
R 7=  15.920     D 7=2.70     N 4=1.84666      ν 4=23.9
R 8=  61.680     D 8=可変
R 9=  ∞(FS1)    D 9=0.90     
R10=  （絞り）   D10=1.40     
R11=   9.378     D11=3.50     N 5=1.88300      ν 5=40.8
R12= 209.089     D12=0.20     
R13=  11.069     D13=2.15     N 6=1.74330      ν 6=49.3
R14= -21.135     D14=0.50     N 7=1.84666      ν 7=23.9
R15=   5.994     D15=1.20
R16=  ∞(FS2)    D16=可変
R17=  16.383     D17=2.10     N 8=1.80610      ν 8=40.7
R18= -41.934     D18=0.80     N 9=1.58144      ν 9=40.8
R19=   ∞        D19=可変
R20=   ∞        D20=3.39     N1O=1.51633      ν10=64.1
R21=   ∞
Ｆａ＝Ｒ１，Ｒ２
Ｆｂ＝Ｒ３〜Ｒ８
Ｒａ＝Ｒ１１〜Ｒ１５
Ｒｂ＝Ｒ１７〜Ｒ１９
fw     fWM     fM      fTM      fT
＼焦点距離    7.13   8.15   12.16   19.90   20.74
可変間隔＼
D 2           0.60   2.14    7.60   14.65   16.18
D 8          24.27  19.98   10.06    1.70    1.84
D16           5.76   5.93    6.76    9.38    9.92
D19           1.57   2.00    3.32    4.96    4.67
非球面係数
R13:k= 4.3134e-01  A= 0.0000e+00  B=-2.4855e-04  C=-8.0173e-06
D= 2.4656e-07  E=-8.5528e-09
R17:k= 1.3914e+00  A= 0.0000e+00  B=-6.8845e-05  C= 2.4350e-07
D=-1.3222e-08  E= 1.6634e-10
【００３３】
数値実施例2
f=5.10〜14.86     FNo=1:2.86〜3.60      2ω=65.4°〜24.9°
R 1=  22.229     D 1=3.20     N 1=1.51633      ν 1=64.1
R 2= 209.706     D 2=可変
R 3=  22.982     D 3=0.80     N 2=1.83481      ν 2=42.7
R 4=   7.148     D 4=3.26
R 5= 424.550     D 5=0.60     N 3=1.77250      ν 3=49.6
R 6=  10.708     D 6=1.20
R 7=  10.706     D 7=1.90     N 4=1.84666      ν 4=23.9
R 8=  26.443     D 8=可変
R 9=  （絞り）   D 9=2.50     
R10=   6.681     D10=1.80     N 5=1.80610      ν 5=40.7
R11=-330.515     D11=0.20     
R12=   7.031     D12=1.50     N 6=1.69680      ν 6=55.5
R13= 260.771     D13=0.50     N 7=1.84666      ν 7=23.9
R14=   3.927     D14=可変     
R15=  13.394     D15=1.90     N 8=1.74330      ν 8=49.3
R16= -44.584     D16=可変
R17=   ∞        D17=3.12     N 9=1.51633      ν 9=64.1
R18=   ∞
Ｆａ＝Ｒ１，Ｒ２
Ｆｂ＝Ｒ３〜Ｒ８
Ｒａ＝Ｒ１１〜Ｒ１４
Ｒｂ＝Ｒ１５，Ｒ１６
fw     fWM     fM      fTM      fT
＼焦点距離    5.10   6.35    8.70   14.03   14.86
可変間隔＼
D 2           0.60   2.50    5.20    9.94   10.80
D 8          16.57  12.33    7.19    2.09    1.98
D14           4.32   4.64    5.15    7.89    8.92
D16           2.19   2.74    3.75    5.11    4.99
非球面係数
R10:k=-2.4528e+00  A= 0.0000e+00  B= 7.1613e-04  C=-6.4707e-06
D=-1.4291e-07  E= 0.0000e+00
R15:k= 2.8006e+00  A= 0.0000e+00  B=-1.5527e-04  C=-3.4558e-06
D= 2.2626e-08  E= 0.0000e+00
【００３４】
数値実施例3
f=7.15〜20.57     FNo=1:2.47〜3.09      2ω=64.9°〜24.9°
R 1=  31.442     D 1=3.70     N 1=1.51633      ν 1=64.1
R 2=-593.987     D 2=可変
R 3=  46.830     D 3=1.00     N 2=1.83400      ν 2=37.2
R 4=  11.259     D 4=3.53
R 5= -96.580     D 5=0.90     N 3=1.74400      ν 3=44.8
R 6=  12.933     D 6=1.47
R 7=  15.396     D 7=2.80     N 4=1.84666      ν 4=23.9
R 8= 113.199     D 8=可変
R 9=  ∞(FS1)    D 9=0.90     
R10=  （絞り）   D1O=1.20     
R11=   9.078     D11=2.60     N 5=1.88300      ν 5=40.8
R12= 471.004     D12=0.20     
R13=  10.790     D13=2.30     N 6=1.74330      ν 6=49.3
R14= -19.874     D14=0.90     N 7=1.84666      ν 7=23.9
R15=   5.482     D15=1.20
R16=  ∞(FS2)    D16=可変
R17=  14.961     D17=2.10     N 8=1.80610      ν 8=40.7
R18=-176.170     D18=可変     
R19=   ∞        D19=3.39     N 9=1.51633      ν 9=64.1
R20=   ∞
Ｆａ＝Ｒ１，Ｒ２
Ｆｂ＝Ｒ３〜Ｒ８
Ｒａ＝Ｒ１１〜Ｒ１５
Ｒｂ＝Ｒ１７，Ｒ１８
fw     fWM     fM      fTM      fT
＼焦点距離    7.15   8.30   12.13   19.36   20.57
可変間隔＼
D 2           0.60   1.69    5.84   11.90   13.46
D 8          21.36  16.98    8.34    1.34    1.23
D16           5.18   5.59    6.53    9.26    9.90
D18           1.61   2.00    3.21    4.43    4.16
非球面係数
R13:k=-1.7822e-01  A= 0.0000e+00  B=-1.9118e-04  C=-6.4554e-06
D= 9.5243e-08  E=-1.3140e-09
R17:k= 3.9110e-01  A= 0.0000e+00  B=-4.4984e-05  C=-3.4329e-07
D= 2.5514e-08  E=-4.5423e-10
【００３５】
【表１】
0004574728.tif 000003
【符号の説明】
【００３６】
ＦＬ 前群、ＲＬ 後群、ＦＳ１ フレアーカット絞り、ＦＳ２ フレアーカット絞り、Ｇ ガラスブロック、ＳＰ 絞り、ＩＰ 像面、ｄ ｄ線、ｇ ｇ線、ΔＳ サジタル像面、ΔＭ メリディオナル像面、１０ 撮影装置本体、１１ 撮影光学系、１２ ファインダー光学系、１３ 撮像素子
【図１】
0004574728.tif 000004
【図２】
0004574728.tif 000005
【図３】
0004574728.tif 000006
【図４】
0004574728.tif 000007
【図５】
0004574728.tif 000008
【図６】
0004574728.tif 000009
【図７】
0004574728.tif 000010